(57)【要約】      （修正有）【課題】襟及び／又は帯状の絞り部分が着脱自在で、機能性、デザイン性の高いベストを提供する。【解決手段】ベスト１は、ベスト本体２と、当該ベスト本体２の襟部分に着脱自在な襟部材３とからなり、前記襟部材３はドットボタン方式、ボタン方式、面ファスナー方式のいずれかによりベスト本体２の襟部分に装着自在となっていることを特徴とする。【選択図】図１
0003182526.tif 000002
【実用新案登録請求の範囲】
【請求項１】
ベスト本体と、
当該ベスト本体の襟部分に着脱自在な襟部材と、を有すること
を特徴とするベスト。
【請求項２】
前記襟部材は、前記ベスト本体の襟部分に設けられたドットボタンと当該襟部材のドットボタンとが勘合することで装着されること
を特徴とする請求項１に記載のベスト。
【請求項３】
前記襟部材は、前記ベスト本体の襟部分に設けられたボタンが当該襟部材のボタン孔に嵌められて装着されること
を特徴とする請求項１に記載のベスト。
【請求項４】
前記襟部材は、前記ベスト本体の襟部分に設けられた面ファスナーが当該襟部材の面ファスナーに付けられて装着されること
を特徴とする請求項１に記載のベスト。
【請求項５】
ベスト本体と、
当該ベスト本体の背面に着脱自在の帯状の絞り部材と、を有すること
を特徴とするベスト。
【請求項６】
前記絞り部材の両端には、ドットボタンが設けられており、中央部には結び目が設けられており、前記ベスト本体の背面には一対の装着部が設けられており、当該装着部にもドットボタンが設けられており、絞り部材のドットボタンが装着部のドットボタンに勘合することで、絞り部材が装着部に装着されること
を特徴とする請求項５に記載のベスト。
【請求項７】
前記絞り部材の両端には、ボタン孔が設けられており、中央部には結び目が設けられており、前記ベスト本体の背面には一対の装着部が設けられており、当該装着部にボタンが設けられており、絞り部材のボタン孔が装着部のボタンにはめられることで、絞り部材が装着部に装着されること
を特徴とする請求項５に記載のベスト。
【請求項８】
前記絞り部材の両端には、面ファスナーが設けられており、中央部には結び目が設けられており、前記ベスト本体の背面には一対の装着部が設けられており、当該装着部にも面ファスナーが設けられており、絞り部材の面ファスナーが装着部の面ファスナーに付くことで、絞り部材が装着部に装着されること
を特徴とする請求項５に記載のベスト。
【請求項９】
前記ベスト本体の背面には一対の装着部が設けられており、当該装着部にはリングが設けられており、絞り部材がそれらリングに端から通されて、結び目により結ばれることで絞り部材がベスト装着部に装着されること
を特徴とする請求項５に記載のベスト。
【考案の詳細な説明】
【技術分野】
【０００１】
本考案は、襟部材及び／又は帯状の絞り部材が着脱自在なベストに関する。
【背景技術】
【０００２】
従来、衣服の一種であるベストには、高いデザイン性が要求されており、多種多様なデザインのベストが市場に出回っている。
【０００３】
例えば、特許文献１では、ジャンバーにつけるライナーに襟及び身返しをつけるとともに、この左右の身返しの中央部前面に第２ファスナーを取り付け、開閉自在してベストとした襟付きライナーベストが開示されている。
【先行技術文献】
【特許文献】
【０００４】
【特許文献１】実開昭６２−１７５０２３号公報
【考案の概要】
【考案が解決しようとする課題】
【０００５】
しかしながら、従来、襟部材や帯状の絞り部材が着脱自在なベストは存在しない。
【０００６】
そこで、本考案は上述の技術的な課題に鑑み、襟部材及び／又は帯状の絞り部材が着脱自在で、機能性、デザイン性の高いベストを提供することを目的とする。
【課題を解決するための手段】
【０００７】
上述技術的な課題を解決するため、本考案の第１の態様に係るベストは、ベスト本体と当該ベスト本体の襟部分に着脱自在な襟部材と、を有することを特徴とする。
【０００８】
さらに、本考案の第２の態様に係るベストは、ベスト本体と、当該ベスト本体の背面に着脱自在の帯状の絞り部材と、を有することを特徴とする。
【考案の効果】
【０００９】
本考案に係るベストによれば、襟部材及び／又は帯状の絞り部材が着脱自在とし、機能性及びデザイン性を向上させることが可能となる。
【図面の簡単な説明】
【００１０】
【図１】（ａ）は本考案の第１の実施形態に係るベストの構成図、（ｂ）は襟部材の構成図である。
【図２】（ａ）は本考案の第２の実施形態に係るベストの構成図、（ｂ）は襟部材の構成図である。
【図３】（ａ）は本考案の第３の実施形態に係るベストの構成図、（ｂ）は襟部材の構成図である。
【図４】（ａ）は本考案の第４の実施形態に係るベストの構成図、（ｂ）は絞り部材の構成図である。
【図５】（ａ）は本考案の第５の実施形態に係るベストの構成図、（ｂ）は絞り部材の構成図である。
【図６】（ａ）は本考案の第６の実施形態に係るベストの構成図、（ｂ）は絞り部材の構成図である。
【図７】（ａ）は本考案の第７の実施形態に係るベストの構成図、（ｂ）は絞り部材の構成図である。
【考案を実施するための形態】
【００１１】
以下、本考案のベストに係る好適な実施形態について図面を参照しながら説明する。なお、本考案のベストは、以下の記述に限定されるものではなく、本考案の要旨を逸脱しない範囲において、適宜変更可能である。
【００１２】
（第１の実施形態）
図１には本考案の第１の実施形態に係るベストの構成を示し説明する。より詳細には図１（ａ）はベスト全体の構成を示しており、図１（ｂ）は当該ベストに着脱自在の襟部材の構成を示している。
【００１３】
これらの図に示されるように、ベスト１は、ベスト本体２と当該ベスト本体２に着脱自在の襟部材３からなる。ベスト本体２には、襟部分の開口２ａと、着衣者が両腕を出す開口２ｂ，２ｃとが設けられており、右前面部２ｄと左前面部２ｅとが中央部分で一部重なってボタン６ａ乃至６ｃにより留められるようになっている。
【００１４】
襟部材３は、ベスト本体２の襟部分に設けられたドットボタン５ａ乃至５ｆと当該襟部材３のドットボタン４ａ乃至４ｆとが勘合することで装着されることになる。この例では襟部材３のドットボタン４ａ乃至４ｆは、好適な間隔で配設されているので、バランスよく襟部分の開口２ａ近傍に装着することが可能となる。
【００１５】
この襟部材３としては、多種多様な柄、模様のものを採用することができるので、ベスト１のデザイン性を高めることが可能となる。また、襟もとは汗等で汚れやすいが、当該襟部材３を交換するだけで、衛生面も高めることができる。また、襟部材３としては、着物地、布、革、ナイロン等、多種多様な材質のものを採用することができる。
【００１６】
以上説明したように、第１の実施形態によれば、多種多様な柄、模様、材質の襟部材３がドットボタン方式で着脱自在なデザイン性、機能性が高いベスト１が提供される。
【００１７】
（第２の実施形態）
図２には本考案の第２の実施形態に係るベストの構成を示し説明する。より詳細には図２（ａ）はベスト全体の構成を示しており、図２（ｂ）は当該ベストに着脱自在の襟部材の構成を示している。
【００１８】
これらの図に示されるように、ベスト１０は、ベスト本体１１と当該ベスト本体１１に着脱自在の襟部材１２からなる。ベスト本体１１には、襟部分の開口１１ａと、着衣者が両腕を出す開口１１ｂ，１１ｃとが設けられており、右前面部１１ｄと左前面部１１ｅとが中央部分で一部重なってボタン１５ａ乃至１５ｃにより留められるようになっている。
【００１９】
襟部材１２は、ベスト本体１１の襟部分に設けられたボタン１４ａ乃至１４ｆが当該襟部材１２のボタン孔１３ａ乃至１３ｆに嵌められて装着されることになる。この例では襟部材１２のボタン孔１３ａ乃至１３ｆは、好適な間隔で配設されているので、バランスよく襟部分の開口１１ａ近傍に装着することが可能となる。
【００２０】
この襟部材１２としては、多種多様な柄、模様のものを採用することができるので、ベスト１０のデザイン性を高めることが可能となる。また、襟もとは汗等で汚れやすいが、当該襟部材１２を交換するだけで、衛生面も高めることができる。また、襟部材１２としては、着物地、布、革、ナイロン等、多種多様な材質のものを採用することができる。
【００２１】
以上説明したように、第２の実施形態によれば、多種多様な柄、模様、材質の襟部材１２がボタン方式で着脱自在なデザイン性、機能性が高いベスト１０が提供される。
【００２２】
（第３の実施形態）
図３には本考案の第３の実施形態に係るベストの構成を示し説明する。より詳細には図３（ａ）はベスト全体の構成を示しており、図３（ｂ）は当該ベストに着脱自在の襟部材の構成を示している。
【００２３】
これらの図に示されるように、ベスト２０は、ベスト本体２１と当該ベスト本体２１に着脱自在の襟部材２２からなる。ベスト本体２１には、襟部分の開口２１ａと、着衣者が両腕を出す開口２１ｂ，２１ｃとが設けられており、右前面部２１ｄと左前面部２１ｅとが中央部分で一部重なってボタン２５ａ乃至２５ｃにより留められるようになっている。
【００２４】
襟部材２２は、ベスト本体２１の襟部分に設けられた面ファスナー２４ａ乃至２４ｉが当該襟部材２２の面ファスナー２３ａ乃至２３ｉに付けられて装着されることになる。この例では、襟部材２２の面ファスナー２３ａ乃至２３ｉは、好適な間隔で配設されているので、バランスよく襟部分の開口２１ａ近傍に装着することが可能となる。
【００２５】
この襟部材２２としては、多種多様な柄、模様のものを採用することができるので、ベスト２０のデザイン性を高めることが可能となる。また、襟もとは汗等で汚れやすいが、当該襟部材２２を交換するだけで、衛生面も高めることができる。また、襟部材２２としては、着物地、布、革、ナイロン等、多種多様な材質のものを採用することができる。
【００２６】
以上説明したように、第３の実施形態によれば、多種多様な柄、模様、材質の襟部材２２が面ファスナー方式で着脱自在なデザイン性、機能性が高いベスト２０が提供される。
【００２７】
（第４の実施形態）
図４には本考案の第４の実施形態に係るベストの構成を示し説明する。より詳細には図４（ａ）はベスト全体の背面を示しており、図４（ｂ）は当該ベストの背面の帯状の絞り部材の構成、並びに着脱される様子を示している。
【００２８】
これらの図に示されるように、ベスト３０は、ベスト本体３１と当該ベスト本体３１の背面に着脱自在の帯状の絞り部材３２からなる。ベスト本体３１には、襟部分の開口３１ａと、着衣者が両腕を出す開口３１ｂ，３１ｃとが設けられており、ここでは不図示であるが、右前面部と左前面部とが中央部分で一部重なってボタンにより留められるようになっている。ベスト本体３１の左後面部３１ｄ、右後面部３１ｅには、各部の下方略中央部に所定長の縫い代３１ｆ，３１ｇが設けられており、そこに絞り部材３２を装着するための装着部３１ｈ，３１ｉが設けられている。
【００２９】
そして、絞り部材３２の両端には、この例ではドットボタン３３ａ，３３ｂが設けられており、中央部には結び目３２ａが設けられている。装着部３１ｈ，３１ｉにもドットボタン３４ａ，３４ｂが設けられており、絞り部材３２のドットボタン３３ａ，３３ｂが装着部３１ｈ，３１ｉのドットボタン３４ａ，３４ｂに勘合することで、絞り部材３２が装着部３１ｈ，３１ｉに装着されることになる。この帯状の絞り部材３２の長さは、結び目での結び方を変更することで適宜調整可能となっている。
【００３０】
この絞り部材３２としては、多種多様な色、柄、模様のものを採用することができるので、ベスト３０のデザイン性を高めることが可能となる。また、絞り部材３２としては、着物地、布、革、ナイロン等、多種多様な材質のものを採用することができる。
【００３１】
以上説明したように、第４の実施形態によれば、多種多様な柄、模様、材質の絞り部材３２がドットボタン方式で着脱自在なデザイン性、機能性が高いベスト３０が提供される。
【００３２】
（第５の実施形態）
図５には本考案の第５の実施形態に係るベストの構成を示し説明する。より詳細には図５（ａ）はベスト全体の背面を示しており、図５（ｂ）は当該ベストの背面の帯状の絞り部材の構成、並びに着脱される様子を示している。
【００３３】
これらの図に示されるように、ベスト４０は、ベスト本体４１と当該ベスト本体４１の背面に着脱自在の帯状の絞り部材４２からなる。ベスト本体４１には、襟部分の開口４１ａと、着衣者が両腕を出す開口４１ｂ，４１ｃとが設けられており、ここでは不図示であるが、右前面部と左前面部とが中央部分で一部重なってボタンにより留められるようになっている。ベスト本体４１の左後面部４１ｄ、右後面部４１ｅには、各部の下方略中央部に所定長の縫い代４１ｆ，４１ｇが設けられており、そこに絞り部材４２を装着するための装着部４１ｈ，４１ｉが設けられている。
【００３４】
そして、絞り部材４２の両端には、この例ではボタン孔４３ａ，４３ｂが設けられており、絞り部材４２の中央部には結び目４２ａが設けられている。装着部４１ｈ，４１ｉにボタン４４ａ，４４ｂが設けられており、絞り部材４２のボタン孔４３ａ，４３ｂが装着部４１ｈ，４１ｉのボタン４４ａ，４４ｂに留められることで、絞り部材４２が装着部４１ｈ，４１ｉに装着されることになる。この帯状の絞り部材４２の長さは、結び目での結び方を変更することで適宜調整可能となっている。
【００３５】
この絞り部材４２としては、多種多様な色、柄、模様のものを採用することができるので、ベスト４０のデザイン性を高めることが可能となる。また、絞り部材４２としては、着物地、布、革、ナイロン等、多種多様な材質のものを採用することができる。
【００３６】
以上説明したように、第５の実施形態によれば、多種多様な柄、模様、材質の絞り部材４２がボタン方式で着脱自在なデザイン性、機能性が高いベスト４０が提供される。
【００３７】
（第６の実施形態）
図６には本考案の第６の実施形態に係るベストの構成を示し説明する。より詳細には図６（ａ）はベスト全体の背面を示しており、図６（ｂ）は当該ベストの背面の帯状の絞り部材の構成、並びに着脱される様子を示している。
【００３８】
これらの図に示されるように、ベスト５０は、ベスト本体５１と当該ベスト本体５１の背面に着脱自在の帯状の絞り部材５２からなる。ベスト本体５１には、襟部分の開口５１ａと、着衣者が両腕を出す開口５１ｂ，５１ｃとが設けられており、ここでは不図示であるが、右前面部と左前面部とが中央部分で一部重なってボタンにより留められるようになっている。ベスト本体５１の左後面部５１ｄ、右後面部５１ｅには、各部の下方略中央部に所定長の縫い代５１ｆ，５１ｇが設けられており、そこに絞り部材５２を装着するための装着部５１ｈ，５１ｉが設けられている。
【００３９】
そして、装着部５１ｈ，５１ｉにはリング５３ａ，５３ｂが設けられており、絞り部材５２がそれらリング５３ａ，５３ｂに端から通されて、結び目５２ａにより結ばれることになる。したがって、この帯状の絞り部材５２の長さは、結び目での結び方を変更することで適宜調整可能となっている。
【００４０】
この絞り部材５２としては、多種多様な色、柄、模様のものを採用することができるので、ベスト５０のデザイン性を高めることが可能となる。また、絞り部材５２としては、着物地、布、革、ナイロン等、多種多様な材質のものを採用することができる。
【００４１】
以上説明したように、第６の実施形態によれば、多種多様な柄、模様、材質の絞り部材５２がリング５３ａ，５３ｂを通されて着脱自在なデザイン性、機能性が高いベスト５０が提供される。
【００４２】
（第７の実施形態）
図７には本考案の第７の実施形態に係るベストの構成を示し説明する。より詳細には図７（ａ）はベスト全体の背面を示しており、図７（ｂ）は当該ベストの背面の帯状の絞り部材の構成、並びに着脱される様子を示している。
【００４３】
これらの図に示されるように、ベスト６０は、ベスト本体６１と当該ベスト本体６１の背面に着脱自在の帯状の絞り部材６２からなる。ベスト本体６１には、襟部分の開口６１ａと、着衣者が両腕を出す開口６１ｂ，６１ｃとが設けられており、ここでは不図示であるが、右前面部と左前面部とが中央部分で一部重なってボタンにより留められるようになっている。ベスト本体６１の左後面部６１ｄ、右後面部６１ｅには、各部の下方略中央部に所定長の縫い代６１ｆ，６１ｇが設けられており、そこに絞り部材６２を装着するための装着部６１ｈ，６１ｉが設けられている。
【００４４】
そして、絞り部材６２の両端には、この例では面ファスナー６３ａ，６３ｂが設けられており、絞り部材６２の中央部には結び目６２ａが設けられている。装着部６１ｈ，６１ｉには、面ファスナー６４ａ，６４ｂが設けられており、絞り部材６２の面ファスナー６３ａ，６３ｂが装着部６１ｈ，６１ｉの面ファスナー６４ａ，６４ｂに付着することで絞り部材６２が装着部６１ｈ，６１ｉに装着されることになる。この帯状の絞り部材６２の長さは、結び目での結び方を変更することで適宜調整可能となっている。
【００４５】
この絞り部材６２としては、多種多様な色、柄、模様のものを採用することができるので、ベスト６０のデザイン性を高めることが可能となる。また、絞り部材６２としては、着物地、布、革、ナイロン等、多種多様な材質のものを採用することができる。
【００４６】
以上説明したように、第７の実施形態によれば、多種多様な柄、模様、材質の絞り部材６２がボタン方式で着脱自在なデザイン性、機能性が高いベスト６０が提供される。
【００４７】
以上、本考案の第１乃至第７の実施形態について説明したが、本考案はこれらに限定されることなく、種々の改良、変更が可能であることは勿論である。
例えば、第１乃至第３の実施形態のいずれかと、第４乃至第７の実施形態のいずれかとの組合せによっても本考案のベストが実現される。
【符号の説明】
【００４８】
１  ベスト
２  ベスト本体
２ａ，２ｂ，２ｃ  開口
２ｄ  右前面部
２ｅ  左前面部
３  襟部材
４ａ〜４ｆ  ドットボタン
５ａ〜５ｆ  ドットボタン
６ａ〜６ｃ  ボタン
【図１】
0003182526.tif 000003
【図２】
0003182526.tif 000004
【図３】
0003182526.tif 000005
【図４】
0003182526.tif 000006
【図５】
0003182526.tif 000007
【図６】
0003182526.tif 000008
【図７】
0003182526.tif 000009